(57)【特許請求の範囲】
【請求項１】
複数枚の用紙に記入されたカルテのカルテ保管側から病院側への伝送サービス方法において、
カルテ保管側にて、書類自動捲り装置により病院側からのページ捲り命令に従ってカルテを捲り、該捲られた用紙のカルテを動画像で取得し、動画像符号化して病院側に送信するステップと、
該動画像のうち、病院側から指示された画像の静止画像を取得し、静止画像符号化して病院側に送信するステップとを備え、
病院側にて、前記符号化された動画像と静止画像を受信し、復号して表示部に映出するステップとを備えたことを特徴とする伝送サービス方法。
【請求項２】
前記指示された画像の静止画像は、前記病院側からの指示によって取得された、前記用紙上の任意のエリアのズームイン画像であることを特徴とする前記請求項１に記載の伝送サービス方法。
【請求項３】
複数枚の用紙に記入されたカルテの伝送サービス装置において、
該カルテ保管側は、
書類自動捲り装置により病院側からのページ捲り命令に従って捲られたカルテを動画像で取得する動画像取得手段と、
該動画像取得手段で取得された動画像を動画像符号化して伝送する動画像符号化手段と、
該動画像取得手段で取得された動画像から、指示された画像を静止画像として取得する静止画像取得手段と、
該静止画像取得手段で取得された静止画像を符号化して伝送する静止画像符号化手段とを具備したことを特徴とする伝送サービス装置。
【請求項４】
前記動画像取得手段は、前記病院側からの遠隔操作により、前記カルテと平行な面内の移動およびズームイン、ズームアウトの少なくとも一方の動作をし、前記静止画像符号化手段は、前記動作により得られた画像を静止画符号化して伝送することを特徴とする前記請求項３に記載の伝送サービス装置。
【請求項５】
複数枚の用紙に記入されたカルテのカルテ保管側から病院側への伝送サービス装置において、
前記病院側は、
ページ捲り命令信号を出力するページ捲り命令部と、
受信した動画像を復号する動画像復号部と、
該動画像復号部で復号された動画像を表示する動画像表示部と、
ページ捲りを停止し、前記動画像中の静止画像の取得命令を行う静止画取得命令部と、
受信した静止画像符号化情報を復号する静止画像復号部と、
該静止画像復号部で復号された静止画像を表示する静止画像表示部とを具備したことを特徴とする伝送サービス装置。
【請求項６】
前記動画像を取得する装置の位置およびズーム状態の少なくとも一方の制御命令を行える手段をさらに具備したことを特徴とする前記請求項５に記載の伝送サービス装置。
【発明の詳細な説明】
【０００１】
【発明の属する技術分野】
本発明は書類データの伝送サービス方法および装置に関し、特に、秘匿されるべき書類データを秘匿状態で読み取って伝送できると共に、指定された書類データの高品質画像データを伝送できる書類データの伝送サービス方法および装置に関する。
【０００２】
【従来の技術】
従来から、病院で作成された患者カルテ等の書類データ（以下、患者カルテと呼ぶ）を倉庫会社へ輸送し、倉庫会社にて保管し、病院からの要求に応じて、該患者カルテ等の書類データを配送するサービスが提供されている。
【０００３】
図４を参照して前記サービス内容を説明すると、まず病院側は作成された患者カルテを患者別にカルテ保管袋に納め、次に複数のカルテ保管袋をカルテ保管箱に入れ、倉庫宛に配送する。倉庫側は、該カルテ保管箱を受け取ると、整理して保存する。
【０００４】
その後、病院側からカルテの配送依頼があると、倉庫側は保存状態にあるカルテ保管箱群から該当するカルテ保管袋が収納されているカルテ保管箱を取り出し、病院側へ配送する。病院は配送されてきたカルテ保管箱を受け取り、必要なカルテをカルテ保管箱から取り出して利用する。カルテの利用が終わると、集荷してカルテ保管箱に収め倉庫側に返送する。倉庫側では、該カルテ保管箱を受け取り、再度最初と同じように保管する。
【０００５】
【発明が解決しようとする課題】
しかしながら、従来のカルテ保管・配送サービスは、病院側から配送依頼があるとカルテ保管箱を配送していたため、病院の医師等が必要なカルテを手にするまでに、時間がかかるという問題、また、病院側ではカルテ保管箱を開けて必要なカルテ保管袋を取り出さなければならず、手間がかかるという問題があった。また、病院では、カルテ保管箱に収容されている一部のカルテ保管袋中のカルテのみが利用されるにかかわらず、不要な多数のカルテ保管袋が入っているカルテ保管箱が病院に配送されるため、無駄が大きいという問題があった。
【０００６】
本発明の目的は、前記した従来技術の問題点を除去し、病院の医師等が、短時間に、必要なカルテなどの秘匿書類データを入手することのできる書類データの伝送サービス方法および装置を提供することにある。また、他の目的は、病院の医師等が該秘匿書類データの詳細を、高精細な画像情報で入手することのできる書類データの伝送サービス方法および装置を提供することにある。
【０００７】
【課題を解決するための手段】
前記した目的を達成するために、本発明は、複数枚の用紙に記入されたカルテのカルテ保管側から病院側への伝送サービス方法において、カルテ保管側にて、書類自動捲り装置により病院側からのページ捲り命令に従ってカルテを捲り、該捲られた用紙のカルテを動画像で取得し、動画像符号化して病院側に送信するステップと、該動画像のうち、病院側から指示された画像の静止画像を取得し、静止画像符号化して病院側に送信するステップとを備え、病院側にて、前記符号化された動画像と静止画像を受信し、復号して表示部に映出するステップとを備えた点に第１の特徴がある。
【０００８】
この特徴によれば、前記動画像により、捲られた用紙の書類データを粗く調査し、該調査により必要な書類データを選定し、該選定した書類データの詳細を静止画像で高精細に取得することができる。
【０００９】
また、本発明は、複数枚の用紙に記入されたの伝送サービス装置において、
該カルテ保管側は、書類自動捲り装置により病院側からのページ捲り命令に従って捲られたカルテを動画像で取得する動画像取得手段と、該動画像取得手段で取得された動画像を動画像符号化して伝送する動画像符号化手段と、該動画像取得手段で取得された動画像から、指示された画像を静止画像として取得する静止画像取得手段と、該静止画像取得手段で取得された静止画像を符号化して伝送する静止画像符号化手段とを具備した点に第２の特徴がある。
【００１０】
この特徴によれば、複数枚の用紙に記入された書類データに関して、符号化劣化の大きい動画像符号化情報と、符号化劣化の小さい静止画像符号化情報とを生成し、受信側に伝送することができる。
【００１１】
さらに、本発明は、病院側は、ページ捲り命令信号を出力するページ捲り命令部と、受信した動画像を復号する動画像復号部と、該動画像復号部で復号された動画像を表示する動画像表示部と、ページ捲りを停止し、静止画の取得命令を行う静止画取得命令部と、受信した静止画を復号する静止画像復号部と、該静止画像復号部で復号された静止画像を表示する静止画像表示部とを具備した点に第３の特徴がある。
【００１２】
この特徴によれば、受信側に居る医師等は、受信した動画像で書類データを粗く調べ、必要な書類データを、静止画の取得命令をすることにより、高精細の静止画像で表示部に表示させることができるようになる。
【００１３】
【発明の実施の形態】
以下に、図面を参照して、本発明を詳細に説明する。図１は、本発明の一実施形態のシステムの概要を示すハード構成図である。
【００１４】
図示されているように、病院側には、パソコン等から構成される書類データ閲覧端末１が配置される。この書類データ閲覧端末１は、後述の説明から明らかになるように、書類捲りとカメラ制御の少なくとも一方を制御できる機能を有している。
【００１５】
倉庫会社側には、第１のサーバー１１（例えば、Windows  NTサーバー）、第２のサーバー１２（例えば、Webサーバー）、パソコン等からなる操作端末１３、カルテ等の書類を捲る書類自動捲り装置１４、カルテ等の書類を撮影する動画像取得装置１５、およびプリンタ１６等が配置される。該動画像取得装置１５は、カメラ支持台１５ａとテレビカメラ１５ｂとから構成されている。病院側と倉庫側とは、ダイヤルアップルータ２、１０、および公衆ネットワーク，ＩＳＤＮ等の回線を介して接続される。
【００１６】
前記書類自動捲り装置１４は、後述する捲り制御信号によりモータ（例えば、ステッピングモータ）１４ａを間欠的に駆動して、所定位置に設置されたカルテ１４ｂを自動的に捲ることができる。該書類自動捲り装置１４としては、例えば特開平０９−１１８４４３号公報、特開２００１−２１９６７４号公報等に記されている紙葉類の捲り装置を利用することができる。
【００１７】
前記カメラ支持台１５ａは、後述の位置制御信号により、捲られたカルテ１４ｃと平行な平面内で直交するｘ、ｙ方向に移動可能であり、テレビカメラ１５ｂは制御信号によりズームイン、ズームアウトが可能である。従って、テレビカメラ１５ｂは、後述の説明から明らかになるように、ユーザからの指示通りに、捲られたカルテ１４ｃの全体を撮影したり、任意のエリアに照準し該エリアを拡大撮影（ズームイン）したりすることが可能である。なお、前記カメラ支持台１５ａとしては、ｘ、ｙ方向の制御信号に応動してｘ、ｙ方向に移動可能な周知の支持台を用いることができる。
【００１８】
次に、本実施形態の要部の構成を、図２のブロック図を参照して説明する。病院側に設置される前記書類データ閲覧端末１は、動画像復号部３１，動画像表示部３２，時刻情報取得部３３，静止画取得命令部３４，制御信号生成部３５，カメラ制御命令部３６，ページ捲り命令部３７，静止画像復号部３８および静止画像表示部３９等から構成されている。一方、前記倉庫会社側に設置される操作端末１３は、前記動画像取得装置１５で撮影された動画像を符号化する動画像符号化部４１，前記動画像取得装置１５で撮影された動画像を時刻情報と共に所定フレーム数記憶する動画像蓄積部４２，静止画像取得部４３，および静止画像符号化部４４等から構成されている。
【００１９】
次に、本実施形態の動作を、図１および図２を参照して説明する。病院側でカルテが患者別にカルテ保管袋に入れられ、該カルテ保管袋がカルテ保管箱２１に収納されると、該カルテ保管箱２１は保管契約をしている倉庫会社へ配送される。倉庫会社は、受け取ったカルテ保管箱を整理して保管しており、病院側から特定の患者のカルテ閲覧の要請が前記端末１を介して、または電話などの手段で届くと、倉庫会社側の係員は所定のカルテ保管箱２１から該患者のカルテ保管袋２２を取り出し、該カルテ保管袋中のカルテを書類自動捲り装置１４にセットする。該カルテは、例えば図１のカルテ１４ｂのようにセットされる。
【００２０】
次いで、病院側の前記書類データ閲覧端末１からページ捲り命令が指示され、制御信号生成部３５で生成されたページ捲り命令信号が通信回線を介して書類自動捲り装置１４に送られると、前記カルテ１４ｂは自動的に捲られる。捲られたカルテ１４ｃの内容はテレビカメラ１５ｂで撮影され、動画像符号化部４１で、例えばＭＰＥＧなどの符号化をされて、通信回線を介して病院側へ送信される。病院側では、受信した動画像符号化情報を動画像復号部３１で復号し、動画像表示部３２に表示する。
【００２１】
病院の医師等は、該動画像表示部３２に表示されるカルテの動画像を見ながらページ捲り命令を送り、書類データの粗調査を行う。その過程で、自分が所望するカルテの動画像を検知すると、その時点でページ捲りを停止し、必要に応じて静止画取得命令部３４から静止画取得命令を行う。そうすると、時刻情報取得部３１が動画像復号部３１から最新の復号した動画像の時刻情報を取得する。該取得された時刻情報は通信回線を介して、倉庫側の静止画像取得部４３へ送られる。静止画像取得部４３は、指定された時刻をもつ静止画を動画像蓄積部４２より取り出し、静止画像符号化部４４へと転送する。静止画像符号化部４４は、受け取った静止画を、例えばＪＰＥＧ等の符号化を行い、通信回線を介して病院側へ送信する。病院側は、受信した静止画符号化情報を静止画像復号部３８で復号し、静止画像表示部３９に表示する。該静止画は、符号化による画質劣化の小さい符号化をされた画像情報であるので、例えばカルテに貼られた患部の患部の写真などを精細に見ることができる。
【００２２】
該静止画を見るにあたって、医師等は、カメラ制御命令部３６から、テレビカメラ１５ｂをｘ、ｙ方向に２次元移動させ、該テレビカメラの中心をカルテ１４ｃの任意の位置に照準することができる。また、該テレビカメラ１５ｂをズームイン、ズームアウトすることができる。したがって、カルテ１４ｃの任意のエリアの画像を拡大して、高精細に静止画像表示部３９上に映出させることができる。なお、動画像は動画像表示部３２に、該静止画と並行して映出することができる。また、必要に応じて、図示されていないプリンタにより、必要な書類データを印刷することができる。
【００２３】
図３は、前記書類データ閲覧端末１の表示画面１ａの表示例を示す。表示画面１ａには、(a)の「Quality  Meeting」画面と、(b)の「カメラコントロール」画面と、(c)の「JPEGイメージ」画面とが同時に開かれる。そこで、医師等が、「Quality  Meeting」画面中のページ捲りボタンをクリックすれば、ページ捲り命令をすることができる。また、JPEGキャプチャボタンをクリックすれば、前記静止画取得命令をすることができる。さらに、「カメラコントロール」画面中のカメラコントロールボタンを操作すれば、前記テレビカメラ１５ｂを左右前後に移動させると共に、ズームインまたはズームアウトをする遠隔操作をすることができる。
【００２４】
動画像は、「Quality  Meeting」画面の受信画面に、また前記JPEGキャプチャボタンを操作することにより得られた静止画像は、受信静止画面に映出することができる。該静止画像は、(c)の「JPEGイメージ」画面にも拡大して映出することができる。「Quality  Meeting」画面中の停止ボタンは画像の送信を停止命令するボタンであり、終了ボタンはソフトを終了するボタンである。
【００２５】
本実施形態によれば、医師等によって閲覧を依頼されたカルテは、倉庫会社側に設置された書類自動捲り装置１４に設置されれば、病院側から遠隔操作でカルテを捲り、カルテの内容をテレビカメラ１５ｂで読み取って病院側に伝送されるので、医師等は早期にカルテの内容を閲覧することができるようになる。また、倉庫会社の係員は、カルテをカルテ保管袋から取り出して書類自動捲り装置１４にセットする作業をするだけであるので、カルテの秘密は保持されることができる。さらに、医師等は、カルテ中の必要なデータを、テレビカメラをズームインして撮影し、かつ静止画像で得ることができるので、例えば患部の患部の写真などであっても、高精細に見ることができるようになる。
【００２６】
本発明の変形例として、パソコン端末を用いたテレビ電話装置を使用するようにしてもよい。すなわち、病院側の書類データ閲覧端末１にマイクを装着し、倉庫会社側の操作端末１３にスピーカまたはイヤホーンを少なくとも装着する。または、書類データ閲覧端末１と操作端末１３に、マイクとスピーカを備えたハンドセットを設けても良い。
【００２７】
この変形例では、病院側の医師等は、マイクから音声で、所望のカルテをカルテ保管箱から取り出し、書類自動捲り装置１４にセットするよう、倉庫会社側の係員に要請することができる。また、書類自動捲り装置１４が不存在の場合には、該係員に、テレビカメラ１５ｂが撮影できる所定の位置で、カルテを捲るよう音声で依頼することができる。医師等は、動画像取得装置１５で取得された動画像を動画像表示部３２で見ながら、係員にページ捲りを進めるよう、停止するよう、あるいは捲り終えた特定のページに戻るように、マイクを通して音声で指示することができる。そして、前記と同様に、静止画取得命令部３４、カメラ制御命令部３６から制御命令を出して、カルテの必要な部分の拡大静止画像を得ることができるようになる。なお、倉庫会社側の係員は守秘の義務が課せられており、かつカルテの束を書類自動捲り装置１４にセットするか、またはカルテの束を所定位置にセット後カルテのページ捲りをするだけであるので、カルテの秘匿は保持されることができる。
【００２８】
【発明の効果】
以上の説明から明らかなように、請求項１、２の発明によれば、医師等は、捲られたカルテを動画像により粗く調査し、該調査により選定されたカルテの詳細を静止画像で高精細に取得することができる。また、医師等が、必要なカルテを早期に、かつ秘匿を保持した状態で、取得することができるようになる。
【００２９】
請求項２の発明によれば、さらに、前記選定されたカルテの詳細を、拡大して静止画像で高精細に取得することができる。
【００３０】
請求項３、４の発明によれば、捲られたカルテの符号化による劣化の大きい動画像と、符号化による劣化の小さい静止画像とを作成し、秘匿の状態で受信側に伝送することができるようになる。
【００３１】
請求項５、６の発明によれば、捲られたカルテの動画像と、高精細な静止画像とを復号し、表示部に表示することができるようになる。また、該カルテを早期に取得することができるようになる。
【図面の簡単な説明】
【図１】  本発明の一実施形態の概略のシステム構成を示す図である。
【図２】  本実施形態の要部の構成を示すブロック図である。
【図３】  書類データ閲覧端末の表示部の表示例を示す図である。
【図４】  従来のカルテ保管・伝送サービスのシステム図である。
【符号の説明】
１・・・書類データ閲覧端末、１ａ・・・書類データ閲覧端末の表示画面、１３・・・操作端末、１４・・・書類自動捲り装置、１５・・・動画像取得装置、１５ｂ・・・テレビカメラ、３２・・・動画像表示部、３４・・・静止画取得命令部、３６・・・カメラ制御命令部、３７・・・ページ捲り命令部、３９・・・静止画像表示部、４１・・・動画像符号化部、４３・・・静止画像取得部、４４・・・静止画像符号化部。
【図１】
0003830033.tif 000002
【図２】
0003830033.tif 000003
【図３】
0003830033.tif 000004
【図４】
0003830033.tif 000005